(57)【要約】【課題】濃度が制御されたエアロゾルを安定的に生成することができるエアロゾル生成装置、及び、そのようなエアロゾル生成装置を用いた成膜装置を提供する。【解決手段】エアロゾル生成装置は、収納される粉体を導出する開口１０が形成されている粉体収納室１と、粉体が開口から導出される際に粉体の導出を補助又は促進するアシストガス導入部１３と、開口から導出される粉体を分散させるガスを供給する分散ガス導入部１７とを含む。また、成膜装置は、そのようなエアロゾル生成装置と、基板を固定する基板ステージ７と、該エアロゾル生成装置によって生成されたエアロゾルを基板に向けて噴射するノズル６とを含む。【選択図】図１
2007231390.tif 000002
【特許請求の範囲】
【請求項１】
収納される粉体を導出する開口が形成されている粉体収納室と、
粉体が前記開口から導出される際に、粉体の導出を補助又は促進する補助手段と、
前記開口から導出される粉体を分散させるガスを供給するガス供給手段と、
を具備するエアロゾル生成装置。
【請求項２】
前記補助手段が、前記粉体収納室内にガスを供給する、請求項１記載のエアロゾル生成装置。
【請求項３】
前記補助手段が、前記粉体収納室内の圧力が前記粉体収納室の開口の外部における圧力よりも高くなるように圧力調節を行う、請求項１又は２記載のエアロゾル生成装置。
【請求項４】
前記補助手段が、前記粉体収納室に振動又は衝撃を与える、請求項１〜３のいずれか１項記載のエアロゾル生成装置。
【請求項５】
前記補助手段が、前記開口から粉体を押し出す、請求項１〜４のいずれか１項記載のエアロゾル生成装置。
【請求項６】
前記補助手段が、前記粉体収納室内に備えられたピストンを含む、請求項５記載のエアロゾル生成装置。
【請求項７】
前記補助手段が、前記粉体収納室内に備えられた押し付けヘラを含む、請求項５記載のエアロゾル生成装置。
【請求項８】
前記ガス供給手段が、前記粉体収納室の開口に対応する位置に開口が形成されている管体と、該管体の内部に気流を形成する手段とを含む、請求項１〜７のいずれか１項記載のエアロゾル生成装置。
【請求項９】
前記開口に対向する円周上に所定の幅及び深さを有する溝が形成されている回転体を有し、前記回転体を回転させることにより、前記開口から導出されて溝に配置される粉体を前記ガス供給手段の位置まで搬送する搬送部をさらに具備する請求項１〜７のいずれか１項記載のエアロゾル生成装置。
【請求項１０】
前記補助手段が、前記粉体収納室内に収納される粉体を攪拌する回転羽であって、前記回転羽の最下部と前記回転体の最上部との間の距離が１ｍｍ以下となるように前記粉体収納室内に配置されている前記回転羽を含む、
請求項９記載のエアロゾル生成装置。
【請求項１１】
前記ガス供給手段が、前記回転体に形成されている溝に向けてガスを吹き付ける、請求項９又は１０記載のエアロゾル生成装置。
【請求項１２】
前記搬送部によって搬送される粉体を前記溝から導出する通路をさらに具備し、
前記ガス供給手段が、前記通路を通って導出される粉体を搬送する気流を発生する、請求項９又は１０記載のエアロゾル生成装置。
【請求項１３】
原料の粉体をガスに分散させたエアロゾルを基板に向けて吹き付けることにより、原料を基板上に堆積させる成膜方法を用いる成膜装置であって、
請求項１〜１２のいずれか１項記載のエアロゾル生成装置と、
基板を固定する基板ステージと、
前記エアロゾル生成装置によって生成されたエアロゾルを基板に向けて噴射するノズルと、
を具備する前記成膜装置。
【請求項１４】
開口が形成された粉体収納室に収納された粉体を、該粉体の導出を補助又は促進しながら前記開口から導出するステップ（ａ）と、
前記開口から導出された粉体をガスによって分散させるステップ（ｂ）と、
を具備するエアロゾル生成方法。
【請求項１５】
ステップ（ａ）が、前記粉体収納室にガスを供給することを含む、請求項１４記載のエアロゾル生成方法。
【請求項１６】
ステップ（ａ）が、前記粉体収納室内の圧力が前記粉体収納室の外部における圧力よりも高くなるように圧力調整することを含む、請求項１４又は１５記載のエアロゾル生成方法。
【請求項１７】
ステップ（ａ）が、前記粉体収納室に振動を与えることを含む、請求項１４〜１６のいずれか１項記載のエアロゾル生成方法。
【請求項１８】
ステップ（ａ）が、前記粉体収納室から粉体を押し出すことを含む、請求項１４〜１７のいずれか１項記載のエアロゾル生成方法。
【請求項１９】
ステップ（ａ）が、ピストンを用いることにより前記粉体収納室から粉体を押し出すことを含む、請求項１８記載のエアロゾル生成方法。
【請求項２０】
ステップ（ａ）が、押し付けヘラを用いることにより前記粉体収納室から粉体を押し出すことを含む、請求項１８記載のエアロゾル生成方法。
【請求項２１】
ステップ（ｂ）が、前記開口から導出された粉体を、内部に気流が形成されている管体に投入することを含む、
請求項１４〜２０のいずれか１項記載のエアロゾル生成方法。
【請求項２２】
ステップ（ａ）において前記開口から導出された粉体を所定の幅及び深さを有する溝に配置して搬送するステップ（ａ'）をさらに具備し、
ステップ（ｂ）が、ステップ（ａ'）において搬送された粉体にガスを吹き付けることによりエアロゾルを生成することを含む、
請求項１４〜２０のいずれか１項記載のエアロゾル生成方法。
【請求項２３】
ステップ（ａ）において前記開口から導出された粉体を所定の幅及び深さを有する溝に配置して搬送するステップ（ａ'）と、
ステップ（ａ'）において搬送された粉体を前記溝から導出するステップ（ａ''）と、
をさらに具備し、
ステップ（ｂ）が、前記溝から導出された粉体を搬送する気流を発生することを含む、
請求項１４〜２０のいずれか１項記載のエアロゾル生成方法。
【請求項２４】
請求項１４〜２３のいずれか１項記載のエアロゾル生成方法を用いることにより、原料の粉体が分散しているエアロゾルを生成するステップ（Ａ）と、
ステップ（Ａ）において生成されたエアロゾルをノズルから基板に向けて吹き付けて、原料の粉体を基板に衝突させることにより、原料を基板上に堆積させるステップ（Ｂ）と、
を具備する成膜方法。
【請求項２５】
請求項２４記載の成膜方法を用いることにより形成された金属膜。
【請求項２６】
請求項２４記載の成膜方法を用いることにより形成されたセラミックス膜。
【発明の詳細な説明】
【技術分野】
【０００１】
本発明は、原料の粉体を分散させたエアロゾルの生成装置及び方法、並びに、そのようなエアロゾルを用いて成膜を行う成膜装置及び方法に関する。
【背景技術】
【０００２】
近年、微小電気機械システム（ＭＥＭＳ：micro electrical mechanical system）関連の機器の開発に伴い、積層セラミックコンデンサや圧電アクチュエータ等の素子の微細化及び集積化がますます進んでいる。そのため、そのような素子を、成膜技術を用いて製造する研究が盛んに進められている。
【０００３】
最近では、固体粒子の衝突付着現象を利用した成膜技術の１つであるエアロゾルデポジション（aerosol deposition：ＡＤ）法が、セラミック膜の形成方法として注目されている。ＡＤ法とは、原料の微小な粉体をガスに分散させることにより生成されたエアロゾルをノズルから基板に向けて噴射して、基板や先に形成された膜に粉体を衝突させることにより、原料を基板上に堆積させる成膜方法である。ここで、エアロゾルとは、「分散相は固体又は液体の粒子からなり、分散媒は気体からなるコロイド系」のことである（高橋幹二著、「エアロゾル学の基礎」、森北出版第１版、Ｐ．１）。ＡＤ法によれば、気孔率が低く、緻密で強固な膜を形成することができるので、上記のような微細な素子の性能を向上できる可能性がある。
【０００４】
ところで、このようなＡＤ法を用いて、厚さや密度が均一な良質な膜を形成するためには、濃度が均一なエアロゾルを長時間に渡ってノズルに供給し続けることが重要となる。そのためには、粉体をガスに分散させるエアロゾル生成機構に、一定量の粉体を連続して供給しなければならない。
【０００５】
関連する技術として、特許文献１には、プラズマ中に粉末をキャリアガスと共に供給することにより試料に粉末を蒸着する、所謂プラズマ蒸着において用いられる粉末供給装置が開示されている。この粉末供給装置は、内部で攪拌させた粉末を供給する粉末供給部と、該粉末供給部から送られてくる粉末の内、凝集した微粉末を分散させて元の微粉末に戻すための分散器とを有している。
【０００６】
また、特許文献２には、プラズマ蒸着において用いられる粉末供給装置であって、中心から所定の位置の円周上に溝が切られたターンテーブルと、該ターンテーブルの上に載置され、粉末を上記ターンテーブルの溝に落としこむ粉末容器とによって構成される粉末供給装置が開示されている。この粉末供給装置においては、上記粉末容器の底部に回転する攪拌羽が取り付けられており、この攪拌羽は、粉末が攪拌羽を中心として移動するような形状になっている。
【０００７】
さらに、特許文献３には、プラズマ蒸着において用いられる粉末供給装置であって、回転可能な攪拌羽と粉末落下孔が備えられた粉末収容室と、粉末落下孔に対向する円周上に溝が設けられた回転盤と、該溝の粉末落下箇所に隣接する溝内の箇所にその先端部が挿入された粉末吸入用パイプと、上記溝の何れかの箇所に吹き付けるためのキャリアガスを通す孔とを備えた粉末供給装置が開示されている。
【０００８】
特許文献４には、粉体収容部と、粉体輸送手段と、エアロゾル化手段とを備えるエアロゾル発生装置が開示されている。このエアロゾル発生装置において、粉体輸送手段は粉体収納部からの粉体が充填される溝を設けた循環式の輸送手段であり、エアロゾル化手段は、溝の一部にガスを吹き付けるガス導入口とこれに近接したエアロゾル導出口を有しており、ガス導入口から導入される搬送ガスが、上記粉体輸送手段に輸送された粉体の一部に吹き付けられてエアロゾル化し、このエアロゾルが上記エアロゾル導出口から導出される。また、特許文献４には、このようなエアロゾル発生装置と、エアロゾルを基材に吹き付けるためのノズルとを備える複合構造物作製装置も開示されている。
【０００９】
特許文献５には、脆性材料の微粒子をガス中に分散させたエアロゾルを基材に向けてノズルより噴射して、上記エアロゾルを基材表面に衝突させ、微粒子の構成材料からなる構造物を基材上に形成させる複合構造物作製装置に用いるエアロゾル発生装置が開示されている。このエアロゾル発生装置は、微粒子の補給が可能な粉体収納部と、この粉体収納部からの微粒子を所定量連続して搬送する粉体供給部と、ガス導入部からのガスで上記粉体供給部からの微粒子をエアロゾル化して導出部より導出するエアロゾル化部とを備えている。また、特許文献５には、そのようなエアロゾル発生装置と、エアロゾルを基材に吹き付けるためのノズルを備える複合構造物作製装置も開示されている。
【特許文献１】特開平５−１８６８６４号公報（第１頁）
【特許文献２】特開平５−２３９６２５号公報（第１頁）
【特許文献３】特開２００５−６８５４２号公報（第２頁、図２）
【特許文献４】特開２００３−２７５６３１号公報（第２頁、図２）
【特許文献５】特開２００５−１１２６１号公報
【発明の開示】
【発明が解決しようとする課題】
【００１０】
特許文献１及び２に開示されている粉末供給装置によれば、幅及び深さが一定の溝が形成されている粉末供給盤を用いることにより、溝の容積に応じた一定量の粉体を供給することができる。そのため、粉末供給盤により供給された粉体をガスによって分散させることにより、濃度が安定したエアロゾルを生成することは可能である。しかしながら、分散ガスの量を増やして粉体の濃度の低いエアロゾルを生成したい場合には、粉末供給盤に大量のガスが流れ込み、粉体がガスにより舞い散ってしまうので、エアロゾル濃度を制御することが困難になってしまう。
【００１１】
この点について、特許文献３〜５においては、粉末供給盤（回転盤）の溝に直接キャリアガスを吹き付けてエアロゾルを生成することにより、搬送された後の粉体の量が変動するのを抑制している。しかしながら、これらの文献に開示されている粉体供給装置においては、粉体収納室の開口から粉体を自然に落下させていることにより、粉末供給盤の溝に粉体を配置している。そのため、粉体の流動性が悪い場合には、粉体が開口から落下し難くなるので、粉体が全く供給されないか、或いは、粉体量の制御ができなくなるおそれがある。その結果、エアロゾルの濃度を制御することが困難になってしまう。
【００１２】
さらに、特許文献１においては、気密容器内に配置された粉末を攪拌するための攪拌体及び攪拌羽が設けられている。この攪拌羽と粉末供給盤の溝との間には、粉体がスタックしないだけの十分な隙間が設けられている（第３頁、図２及び図３）。また、攪拌体と粉末供給盤とは、互いに噛み合ってコンタミネーション（不純物）が発生するのを防ぐために、機械的な重なりがないように配置されている。そのため、粉体の流動性が悪い場合には、粉体が溝に入って行かないおそれがある。また、隙間が大きすぎると、溝に配置される粉体の量が安定しないおそれもある。
【００１３】
そこで、上記の点に鑑み、本発明は、濃度が制御されたエアロゾルを安定的に生成することができるエアロゾル生成装置及び方法を提供することを第１の目的とする。また、本発明は、そのようなエアロゾル生成装置によって生成されたエアロゾルを用いて成膜を行う成膜装置及び方法を提供することを第２の目的とする。
【課題を解決するための手段】
【００１４】
上記課題を解決するため、本発明の１つの観点に係るエアロゾル生成装置は、収納される粉体を導出する開口が形成されている粉体収納室と、粉体が開口から導出される際に粉体の導出を補助又は促進する補助手段と、開口から導出される粉体を分散させるガスを供給するガス供給手段とを具備する。
【００１５】
また、本発明の１つの観点に係る成膜装置は、原料の粉体をガスに分散させたエアロゾルを基板に向けて吹き付けることにより、原料を基板上に堆積させる成膜方法を用いる成膜装置であって、上記エアロゾル生成装置と、基板を固定する基板ステージと、上記エアロゾル生成装置によって生成されたエアロゾルを基板に向けて噴射するノズルとを具備する。
【００１６】
さらに、本発明の１つの観点に係るエアロゾル生成方法は、開口が形成された粉体収納室に収納された粉体を、該粉体の導出を補助又は促進しながら開口から導出するステップ（ａ）と、前記開口から導出された粉体をガスによって分散させるステップ（ｂ）とを具備する。
【００１７】
また、本発明の１つの観点に係る成膜方法は、上記エアロゾル生成方法を用いることにより原料の粉体が分散しているエアロゾルを生成するステップ（Ａ）と、ステップ（Ａ）において生成されたエアロゾルをノズルから基板に向けて吹き付けて、原料の粉体を基板に衝突させることにより、原料を基板上に堆積させるステップ（Ｂ）とを具備する。
【発明の効果】
【００１８】
本発明によれば、粉体収納室に形成された開口から粉体が導出される際に、補助手段によりその導出を補助又は促進するので、粉体を開口からよりスムーズに導出させることができる。それにより、粉体の供給量を安定させることができると共に、粉体の供給量を容易に調節できるようになるので、濃度が制御されたエアロゾルを長時間に渡って生成できるようになる。従って、そのようにして生成されたエアロゾルを用いることにより、膜厚や密度を含む膜質の安定した膜を形成できると共に、膜厚や密度の制御をより簡単にできるようになる。
【発明を実施するための最良の形態】
【００１９】
以下、本発明を実施するための最良の形態について、図面を参照しながら詳しく説明する。なお、同一の構成要素には同一の参照番号を付して、説明を省略する。
図１の（ａ）は、本発明の第１の実施形態に係るエアロゾル生成装置の構成を示す断面図である。また、図１の（ｂ）は、本実施形態に係るエアロゾル生成装置の内部を示す上面図である。なお、図１の（ａ）は、図１の（ｂ）の一点鎖線Ａ−Ａ'における断面を示している。
【００２０】
図１に示すように、このエアロゾル生成装置は、粉体収納室１及びエアロゾル生成部２を含んでいる。
粉体収納室１は粉体を収納するチャンバであり、その上底部には粉体供給口１ａが設けられており、下底部には開口１０が形成されている。この開口１０を介して、粉体収納室１とエアロゾル生成部２とが接続されている。
【００２１】
粉体収納室１には、モータによって駆動されることにより回転する攪拌羽１１が備えられている。この攪拌羽１１の回転軸１２にはＯ（オー）リング１２ａがはめ込まれており、それによって粉体収納室１内の気密が確保される。なお、図１の（ｂ）には４枚の攪拌羽１１が示されているが、攪拌羽の数は適宜変更しても構わない。攪拌羽１１の材料としては、金属等の硬質な材料を用いても良いし、ゴム、シリコンゴム、テフロン（登録商標）等の柔軟性に優れた材料を用いても良い。或いは、金属羽の周縁部をゴムによって覆う等、それらの材料を組み合わせて用いても良い。
このような粉体収納室１に粉体を収納し、攪拌羽１１によって粉体を攪拌する。それにより、粉体が開口１０から落下し、エアロゾル生成部２に導出される。
【００２２】
また、粉体収納室１には、粉体が開口１０から導出されるのを補助又は促進するために、アシスト（補助）ガス導入部１３が設けられている。アシストガス導入部１３は、配管及びバルブを含んでおり、配管の先には、例えば、ガスボンベが接続されている。なお、アシストガスの種類としては、後述する分散ガスと同じものを用いることが望ましい。
【００２３】
エアロゾル生成部２には、モータによって駆動されることにより回転する回転盤１４が備えられている。回転盤１４の回転軸１５にはＯリング１５ａがはめ込まれており、それによってエアロゾル生成部２内の気密が確保される。
回転盤１４には、所定の幅及び深さを有する溝１６が円周に沿って形成されている。回転盤１４は、この溝１６が粉体収納室１の開口１０に対向するように配置されている。回転盤１４は、開口１０から落下した粉体を溝１６によって受けながら回転することにより、粉体を一定の割合で搬送する。なお、図１の（ａ）において、溝１６の断面形状は半円となっているが、矩形やＶ字型のように、半円以外の形状であっても構わない。
【００２４】
図２は、図１に示す粉体収納室１の底部と、攪拌羽１１と、回転盤１４との位置関係を説明するための拡大図である。図２において、長さＬＧＡＰは、攪拌羽１１の最下部１１ａと回転盤１４のトップ（溝１６の壁部の最上部）１４ａとの間隔を示しており、長さＬＤＥＰは、粉体収納室１の内底面１ｂから見た回転盤１４のトップ１４ａの深さを示している。長さＬＤＥＰが正の場合には、粉体収納室１の内底面１ｂよりも回転盤１４のトップ１４ａの位置が下がっていることを示す。
【００２５】
図２に示すように、攪拌羽１１と粉体収納室１の内壁及び内底面との間には、空隙が設けられている。これは、攪拌羽１１と粉体収納室１の内壁や内底面とが擦れ合って互いに相手を削ることにより、コンタミネーション（汚染物質）が発生して粉体に混入するのを防ぐためである。そのため、このような空隙は、攪拌羽１１の周縁部が金属等の硬質材料によって形成されている場合には必要であるが、ゴム等の軟質材料によって形成されている場合には設けなくても良い。
【００２６】
また、攪拌羽１１と回転盤１４のトップ１４ａとの間にも空隙が設けられている（即ち、長さＬＧＡＰ＞０）。これは、攪拌羽１１と回転盤１４が擦れ合ってコンタミネーションが発生するのを防ぐためである。そのため、この空隙も、攪拌羽１１の周縁部が金属等の硬質材料によって形成されている場合には必要であるが、ゴム等の軟質材料によって形成されている場合には設けなくても良い。なお、図２において、回転盤１４は、そのトップ１４ａが粉体収納室１の内底面１ｂよりも若干下がるように配置されているため、回転盤１４と攪拌羽１１の間には当然に空隙が形成される。しかしながら、回転盤のトップ１４ａの位置は、粉体収納室１の内底面１ｂに揃えても良いし（即ち、ＬＤＥＰ＝０）、内底面１ｂより高くしても良い（即ち、ＬＤＥＰ＜０）。ただし、粉体を効率良く溝１６に充填するためには、トップ１４ａの位置を粉体収納室１の内底面１ｂと同じ高さにするか、それよりも下げることが望ましい（即ち、ＬＤＥＰ≧０）。
【００２７】
本実施形態においては、攪拌羽１１と回転盤のトップ１４ａとの間隔ＬＧＡＰを１ｍｍ以下としており、好ましくは、０．５ｍｍ以下としており、さらに好ましくは、できるだけ小さくする。その理由は、両者の間隔が長すぎると、粉体が開口１０内を落下しても、その粉体を溝１６内に確実に充填することが困難になるので、搬送される粉体量のばらつきが大きくなるからである。従って、攪拌羽１１の周縁部をゴム等の軟質材料によって形成する場合には、ＬＧＡＰ＝０としても良い。また、粉体量のばらつきを最小限に抑えるために、この間隔ＬＧＡＰは、エアロゾル生成装置の駆動中においても高い精度で維持されていることが望ましい。
【００２８】
再び、図１を参照すると、エアロゾル生成部２には、分散ガス導入部１７及びエアロゾル導出部１８が設けられている。
分散ガス導入部１７は、配管及びバルブを含んでおり、配管の先には、例えば、ガスボンベが接続されている。分散ガスの種類としては、窒素（Ｎ２）、酸素（Ｏ２）、ヘリウム（Ｈｅ）、アルゴン（Ａｒ）、又は、それらの混合ガス、或いは、乾燥空気等が用いられる。図１の（ａ）に示すように、分散ガス導入部１７によってエアロゾル生成部２内に導入された分散ガスの吹き出し口は、回転盤１４の溝１６に対向するように設けられている。
【００２９】
図３は、図１の（ｂ）に示すエアロゾル導出部１８付近を拡大して示す断面図である。図３に示すように、エアロゾル導出部１８は、先端の開口部が溝１６に対向するように配置された管である。エアロゾル導出部１８は、図３に示すように、溝１６の真上を向くように配置されても良いし、図の左右方向又は奥行き方向に傾けるように配置されても良い。また、生成されたエアロゾルを確実にエアロゾル導出部１８に導くために、エアロゾル導出部１８の先端部が溝１６の内部に入り込むようにすることが望ましい。なお、エアロゾル導出部１８の位置は、溝１６の円周上のいずれかであれば良いが、粉体収納室１の開口１０の直下からあまり遠くない位置にすることがより望ましい。粉体が搬送される距離が短くなり、エアロゾル生成部２の内壁（特に天井）に粉体が付着することが少なくなるからである。このようなエアロゾル導出部１８の他端は、例えば、フレキシブルな材料によって形成された配管に接続される。
【００３０】
このようなエアロゾル生成装置において、粉体収納室１に所望の粉体を収納して攪拌羽１１を駆動すると共に、エアロゾル生成部２において回転盤１４を回転させ、回転盤１４の溝１６に対して分散ガスを吹き付け始める。
粉体収納室１に収納された粉体は、攪拌羽１１によって攪拌されながら、開口１０を通って溝１６に落下する。その際に、粉体収納室１にアシストガスを導入することにより、開口１０内に気流を形成する。なお、アシストガスは、連続的に導入するようにしても良いし、間欠的に導入するようにしても良い。この気流が、粉体の導出を補助又は促進する駆動力として作用する。それにより、粉体は、よりスムーズに開口１０から溝１６に落下する。溝１６に落下した粉体は、回転盤１４の回転速度に応じて堆積して搬送される。
【００３１】
一方、回転盤１４の溝１６においては、そこに吹き付けられた分散ガスが溝１６に沿って流れることにより気流が形成されている。この分散ガスは、エアロゾル導出部１８の先端部の開口からその内部に流れ込む。その際に、エアロゾル導出部１８の周囲には、エアロゾル導出部１８の内部に向かう吸引力が発生する。この吸引力により、溝１６に堆積していた粉体が分散ガスと共にエアロゾル導出口１８に流れ込む。このようにして生成されたエアロゾルは、エアロゾル導出口１８に接続されているフレキシブルな配管等を介して、成膜装置等に導入される。
【００３２】
このように、本実施形態によれば、粉体収納室１にアシストガスを導入することにより、粉体がよりスムーズに開口１０から落下するようになるので、溝１６に堆積する粉体の量を安定させることができる。また、本実施形態によれば、攪拌羽１１と回転盤１４のトップ１４ａとの間隔を１ｍｍ以下とすることにより、コンタミの発生を抑制しつつ、溝１６に充填される粉体の量を安定させることが可能となる。その結果、回転盤１４の回転速度を変化させることにより、単位時間あたりに供給される粉体の量を正確に制御できるようになるので、濃度の安定したエアロゾルを長時間に渡って生成できるようになると共に、エアロゾル濃度を容易に制御できるようになる。
【００３３】
なお、本実施形態においては、粉体の導出を補助又は促進する手段として、アシストガス導入部１３と、回転盤１４との間隔を規定された攪拌羽１１との両方を設けているが、いずれか一方を設けるだけでも、従来と比較して安定的にエアロゾルを生成することは可能である。
【００３４】
本発明の第１の実施形態に係るエアロゾル生成装置の変形例として、粉体収納室１の開口１０の径を小さくする場合には、アシストガス導入部１３を粉体収納室１の圧力調整部として用いても良い。開口１０の径が小さい場合には、アシストガスを導入することにより、粉体収納室１内は加圧状態となる。従って、エアロゾル生成部２に対して粉体収納室１内の圧力を高い状態に維持するようにすれば、この圧力差が粉体の導出を補助又は促進する駆動力として作用するので、粉体をよりスムーズに開口１０から溝１６に落下させることができる。
【００３５】
次に、本発明の第２の実施形態に係るエアロゾル生成装置について、図４を参照しながら説明する。ここで、図１に示すエアロゾル生成装置においては、分散ガスを回転盤１４の溝１６に直接吹き付けているが、必ずしもそのようにする必要はない。
図４に示すエアロゾル生成装置は、図１の（ａ）に示す分散ガス導入部１７及びエアロゾル導出部１８の替わりに、分散ガス導入部２０及びエアロゾル導出部２１を有している。また、このエアロゾル生成装置には、回転盤１４の溝１６の一部の箇所と分散ガス導入部２０とを接続する粉体導出路２２が形成されている。粉体導出路２２の径は、供給される粉体の径や流動性等に応じて異なるが、例えば、１ｍｍ〜３ｍｍ程度の細管である。
【００３６】
このようなエアロゾル生成装置の粉体収納室１に粉体を配置して動作を開始すると、アシストガスによる補助を得て粉体が開口１０から落下し、溝１６に堆積する。この粉体は、回転盤１４が回転することにより粉体導出路２２の位置まで搬送される。そして、溝１６に配置された粉体は、アシストガスと共に粉体導出路２２を高速で通過し、分散ガス導入部２０に噴射される。このとき、粉体導出路２２の径と分散ガス導入部２０の径との差によって生じるガスの膨張力により、粉体は極めて高く分散した状態となる。さらに、そこを分散ガスが通過することにより、粉体が分散ガスと共に導出される。このようにしてエアロゾルが生成される。
【００３７】
次に、本発明の第３の実施形態に係るエアロゾル生成装置について説明する。図５は、本実施形態に係るエアロゾル生成装置の一部を示す断面図である。
図５に示すように、このエアロゾル生成装置は、粉体収納室３０と、分散ガス供給管３１とを含んでいる。
【００３８】
粉体収納室３０は、漏斗形状、或いは、漏斗と円筒とを組み合わせた形状を有する容器である。このような容器としては、例えば、粉体を下方へ落下させるためのホッパーが知られている。また、分散ガス供給管３１は、ガスボンベ等から供給される分散ガスを搬送するための管体であり、一部に開口３２が形成されている。この開口３２の位置と、粉体収納室３０の先端部（漏斗部分）に形成されている開口とが合うように、各部が配設されている。
【００３９】
さらに、粉体収納室３０には、その中に配置された粉体が分散ガス供給管３１に導出されるのを補助又は促進するために、アシストガス導入部３３が設けられている。アシストガス導入部３３は、配管及びバルブを含んでおり、配管の先には、例えば、ガスボンベが接続されている。
【００４０】
このような粉体収納室３０に粉体３４を収納すると、粉体は円錐の斜面に沿って移動することにより開口に導かれ、分散ガス供給管３１内に落下する。その際に、粉体収納室１にアシストガスを導入することにより、粉体収納室３０内に気流を形成する。なお、アシストガスは、連続的に導入するようにしても良いし、間欠的に導入するようにしても良い。この気流が、粉体の導出を補助又は促進する駆動力として作用する。それにより、粉体は、よりスムーズに開口を通って分散ガス供給管３１内に落下するようになる。この粉体が、分散ガス供給管３１内において分散ガスにより分散されることにより、エアロゾルが生成される。
【００４１】
このように、本実施形態によれば、内壁の一部が斜面となっている粉体収納室にアシストガスを導入することにより、簡単な構成で、粉体をエアロゾル生成部に安定して供給することが可能となる。
【００４２】
本発明の第３の実施形態に係るエアロゾル生成装置の変形例として、粉体収納室３０の開口径を小さくする場合には、アシストガス導入部３３を粉体収納室３０の圧力調整部として用いても良い。粉体収納室３０の開口径が小さい場合には、アシストガスを導入することにより、粉体収納室３０内は加圧状態となる。従って、分散ガス供給管３１内に対して粉体収納室３０内の圧力を高い状態に維持するようにすれば、この圧力差が粉体の導出を補助又は促進する駆動力として作用するので、粉体をよりスムーズに分散ガス供給管３１内に供給することができる。
【００４３】
次に、本発明の第４の実施形態に係るエアロゾル生成装置について説明する。図６は、本実施形態に係るエアロゾル生成装置の構成を示す断面図である。
図６に示すように、このエアロゾル生成装置は、図１の（ａ）に示すアシストガス導入部１３の替わりに、ノッカー４０を備えている。その他の構成については、図１に示すものと同様である。
【００４４】
ここで、ノッカーとは、粉体を収納する容器や粉体を搬送する配管等に取り付けられ、容器等に振動又は衝撃を与えることにより粉体の付着や詰まりを除去する装置である。ノッカーの種類としては、圧縮空気の力によりピストンを駆動するエアーノッカーや、電力によりハンマーを駆動する電子式のノッカーが知られている。
このようなノッカー４０を駆動して粉体収納室１に振動又は衝撃を与えることにより、粉体収納室１に収納された粉体を、よりスムーズに開口１０から溝１６に落下させることができる。
【００４５】
次に、本発明の第５の実施形態に係るエアロゾル生成装置について説明する。図７は、本実施形態に係るエアロゾル生成装置の一部を示す断面図である。
図７に示すように、このエアロゾル生成装置は、図５に示す粉体収納室３０の替わりに、粉体収納室５０を有している。その他の構成については、図５に示すものと同様である。
【００４６】
粉体収納室５０は、漏斗形状、或いは、漏斗と円筒とを組み合わせた形状を有する容器容器であり、その上部には粉体供給口５１が設けられている。また、漏斗の先端部に形成されている開口と、分散ガス供給管３１の開口３２の位置とが合うように、各部が配設されている。さらに、粉体収納室５０の外側には、ノッカー５２が設置されている。
【００４７】
このような粉体収納室５０に粉体５３を収納すると、粉体は円錐の斜面に沿って移動することにより開口に導かれる。このとき、ノッカー５２を駆動して粉体収納室５０に振動又は衝撃を与えることにより、粉体５３を、よりスムーズに分散ガス供給管３１内に落下させることができる。
【００４８】
次に、本発明の第６の実施形態に係るエアロゾル生成装置について説明する。図８は、本実施形態に係るエアロゾル生成装置の一部を示す断面図である。
図８に示すように、このエアロゾル生成装置は、図５に示す粉体収納室３０の替わりに、粉体収納室６０を有している。その他の構成については、図５に示すものと同様である。
【００４９】
粉体収納室６０は、漏斗形状、或いは、漏斗と円筒とを組み合わせた形状を有する容器である。この漏斗の先端部に形成されている開口と、分散ガス供給管３１の開口３２の位置とが合うように、各部が配設されている。また、粉体収納室６０の内部には、ピストン６１が備えられている。ピストン６１は、例えば、油圧式シリンダや、エアシリンダや、電子式シリンダ等の駆動装置６２によって駆動される。
【００５０】
このような粉体収納室６０に粉体６３を収納すると、粉体は円錐の斜面に沿って移動することにより開口に導かれる。このとき、粉体６３を開口から押し出すようにピストン６１を駆動することにより、粉体６３を、よりスムーズに分散ガス供給管３１内に落下させることができる。
【００５１】
次に、本発明の第７の実施形態に係るエアロゾル生成装置について説明する。
図９の（ａ）は、本実施形態に係るエアロゾル生成装置の内部を示す上面図である。図９の（ａ）に示すように、このエアロゾル生成装置は、図１の（ｂ）に示す攪拌羽１１の替わりに、攪拌羽７０を有している。その他の構成については、図１に示すものと同様である。なお、図９には４枚の攪拌羽７０が示されているが、攪拌羽の数は適宜変更しても構わない。
【００５２】
攪拌羽７０は、その先端部が粉体収納室１の底面に接触するように配置されている。望ましくは、攪拌羽７０を粉体収納室１の側面に接触させても良い。
図９の（ｂ）は、図９の（ａ）に示す攪拌羽７０を示す斜視図である。各攪拌羽７０は、その先端部と粉体収納室１の底面との為す角度が小さくなるように、途中から折り曲げられている。また、攪拌羽７０は、例えば、ゴムや、シリコンゴムや、テフロン（登録商標）のように、柔軟性に優れた材料によって形成されている。
【００５３】
このような攪拌羽７０を回転させると、攪拌羽７０は、粉体収納室１に収納された粉体を攪拌すると共に、その先端部を押し付けヘラのようにして、下側に入り込んだ粉体を底面に押し付ける。この押し付ける力が、粉体の導出を補助又は促進する駆動力として作用する。それにより、粉体はよりスムーズに溝１６に落下するようになる。また、攪拌羽７０を上記の材料によって形成することにより、攪拌羽７０の端部と粉体収納室１の底面や側面との接触部分が削れることがなくなるので、コンタミネーション（不純物）が粉体に混合してしまうおそれもなくなる。
【００５４】
ここで、攪拌羽の形状については、攪拌羽を粉体収納室の底面に対して比較的小さい角度で接触させることができれば、図９の（ｂ）に示すものに限られない。例えば、羽を緩やかに湾曲させた形状にしても良い。或いは、攪拌羽を回転軸に対して斜めに取り付けるようにしても良い。さらに、本実施形態においては、攪拌羽（押し付けヘラ）を回転駆動しているが、平行移動させるように駆動しても良い。
なお、本実施形態においても、攪拌羽７０の最下部と回転盤１４との間隔を１ｍｍ以下とすることが望ましい（即ち、ＬＧＡＰ＝ＬＤＥＰ≦１ｍｍ）。
【００５５】
次に、本発明の第８の実施形態に係るエアロゾル生成装置について説明する。図１０は、本実施形態に係るエアロゾル生成装置の一部を示す断面図である。
本実施形態に係るエアロゾル生成装置は、図１に示すエアロゾル生成装置において、粉体供給室１の替わりに、図５に示す粉体供給室３０を配置したものである。その他の構成については、図１に示すものと同様である。
【００５６】
本実施形態においては、アシストガスによる補助を受けて粉体供給室３０から落下させた粉体を、回転盤１４の溝１６によって受ける。そして、回転盤１４を回転させることにより粉体を所定の位置まで搬送し、その位置において分散ガスを導入することにより粉体を分散させる（図１参照）。
【００５７】
本実施形態によれば、回転盤１４の回転速度を変化させることにより、分散ガスの導入箇所に単位時間に搬送される粉体の量を正確に制御できるようになる。
なお、本実施形態に係るエアロゾル生成装置の変形例として、粉体供給部３０の替わりに、図７に示す粉体供給部室５０や、図８に示す粉体供給室６０を配置しても良い。
【００５８】
以上、本発明の第１〜第８の実施形態に係るエアロゾル生成装置について説明したが、それらの実施形態において用いられた補助手段（粉体の導出を補助又は促進する手段）を複数組み合わせても良い。例えば、図１に示すエアロゾル生成装置に、図６に示すノッカー４０を付加しても良いし、図６に示すエアロゾル生成装置に、図９に示す攪拌羽７０を取り付けても良い。
【００５９】
次に、本発明の一実施形態に係る成膜装置について説明する。図１１は、本実施形態に係る成膜装置の構成を示す模式図である。
図１１に示すように、この成膜装置は、エアロゾル生成装置１００及び成膜部２００を有している。エアロゾル生成装置１００としては、本発明の第１〜第８の実施形態に係るエアロゾル生成装置のいずれかが適用される。
【００６０】
成膜部２００は、成膜チャンバ５と、噴射ノズル６と、基板ステージ７と、真空ポンプ８とを含んでいる。成膜チャンバ５の内部は、真空ポンプ８により所定の真空度に維持されている。また、噴射ノズル６は、エアロゾル生成装置１００によって生成され、エアロゾル搬送管６ａを介して供給されるエアロゾルを噴射する。基板ステージ７は、３次元的に移動可能な可動ステージであり、膜が形成される基板９を固定する。この基板ステージ７を制御することにより、基板９と噴射ノズル６との相対位置及び相対速度が調節される。
【００６１】
このような成膜装置において、エアロゾル生成装置１００に所望の原料の粉体（例えば、金属粉やセラミックス粉）を配置すると共に、成膜部２００の基板ステージに基板９を配置する。原料の粉体の径は、成膜材料の種類や基板材料との関係等により様々であるが、例えば、ＰＺＴ（チタン酸ジルコン酸鉛）等のセラミックス膜を形成する場合には、粒子径を０．１μｍ〜１０μｍ程度とすることが好ましい。また、基板としては、ＳＵＳ（ステンレス鋼）、ＹＳＺ（イットリア安定化ジルコニア）、シリコン等の様々な部材を用いることができる。さらに、基板材料の上に下地層又は電極層として金属膜を形成したものを、基板９として用いても良い。
【００６２】
そして、エアロゾル生成装置１００を駆動すると、原料の粉体がガスに分散しているエアロゾルが生成される。このエアロゾルは、エアロゾル搬送管６ａを介して噴射ノズル６に供給される。そして、噴射ノズル６によってエアロゾルを基板９に向けて噴射すると、原料の粉体が基板９に衝突して破砕し、メカノケミカル現象により基板９に付着して堆積する。このとき、基板９と噴射ノズル６との相対速度や、基板を往復させる回数を調節することにより、基板９上に堆積する膜の厚さを制御することができる。
【００６３】
以上説明したように、本発明の一実施形態に係る成膜装置によれば、ＡＤ法を用いることにより、気孔率が低くて緻密な金属膜やセラミックス膜等を形成することができる。特にセラミックス膜を形成する場合には、硬度の高い（強固な）膜を形成することが可能となる。なお、ＡＤ法においては、基板材料や下地層の材料の硬度と、原料の粉体の硬度や噴射速度との関係によっては、基板等とＡＤ膜（ＡＤ法により形成された膜）との界面にアンカー層（原料の粉体が下層に食い込んでいる領域）が観察される場合がある。
また、本実施形態によれば、濃度の安定したエアロゾルを長時間に渡って生成し、成膜部の噴射ノズルに供給することができるので、密度（気孔率）等の膜質や膜厚の安定した良質なＡＤ膜を形成することが可能となる。
【００６４】
（実験１）
本発明の第１の実施形態に係るエアロゾル生成装置を用いて、アシストガスによる効果を確認するための実験を行った。
(i)実験方法及び評価方法
次の条件の下でエアロゾルを生成してそれを捕集し、そこに含まれる粉体の量を次の方法により計測した。即ち、図１に示すエアロゾル導出部１８に、ニチアス株式会社製のＰＦＡチューブ（内径３ｍｍ、外径４ｍｍ）の一端を接続し、水で満たした１００ｃｃの捕集瓶にＰＦＡチューブの他端を挿入して水中にエアロゾルを吹き込むことにより、この瓶に粉体を捕集した。エアロゾルの生成中には５分ごとに捕集瓶を交換し、６０分間に渡って（即ち、捕集瓶１２本分）粉体を得た。粉体の捕集後、粉体が混入している水をホットプレートによって蒸発させ、実験前後の捕集瓶の重量を計測することにより粉体供給量を求め、それらの平均値を平均粉体供給量とした。また、粉体供給量の変動幅を次式（１）及び（２）を用いて算出し、絶対値が大きい方を本実験における結果として採用した。
粉体供給量の変動幅＝（供給量最小値−平均供給量）／（平均供給量）…（１）
粉体供給量の変動幅＝（供給量最大値−平均供給量）／（平均供給量）…（２）
【００６５】
(ii)エアロゾル生成条件
試料：平均粒径が０．７μｍのＰＺＴ（チタン酸ジルコン酸鉛）
分散ガスの種類：純酸素（Ｇ２グレード）
アシストガスの種類：純酸素（Ｇ２グレード）
分散ガスの流量    アシストガスの流量    回転盤の回転数
実施例１−１    ３リットル／分      ３リットル／分      ０．７回転／分
実施例１−２    ２リットル／分      ４リットル／分      ０．７回転／分
比較例１−１    ６リットル／分      ０リットル／分      ０．７回転／分
比較例１−２    ６リットル／分      ０リットル／分      ５．０回転／分
比較例１−３    ０リットル／分      ６リットル／分      ０．７回転／分
なお、上記の実施例及び比較例において、分散ガスの流量とアシストガスの流量とはトータルで同量になる。また、攪拌羽と回転盤との距離ＬＧＡＰは、約０．３ｍｍとした。
【００６６】
(iii)結果
平均粉体供給量    供給量の変動幅
実施例１−１      ４０ｍｇ／分      ±２０％
実施例１−２    １００ｍｇ／分      ±１０％
比較例１−１        ０ｍｇ／分          −
比較例１−２      １０ｍｇ／分      ±７０％
比較例１−３    ６００ｍｇ／分      ±８０％
【００６７】
上記の結果に示すように、比較例１−１においては、アシストガスを導入していないので、粉体を全く供給することができなかった。また、比較例１−２は、比較例１−１に対して回転盤の回転速度を上げることにより粉体の供給を試みたものであるが、この場合には粉体をごく僅か（約１０ｍｇ／分）供給できたのみであった。また、供給量の変動幅も±７０％とかなり大きい。なお、一般に、粉体の単位時間当りの供給量（ｇ／分）は、溝の容積（ｃｃ）と、粉体のかさ密度（ｇ／ｃｃ）と、回転盤の回転速度（回転／周）との積によって決定される。さらに、比較例１−３は、アシストガスのみを導入したものであるが、この場合には、大量の粉体が供給され（約６００ｍｇ／分）、その変動幅はかなり大きくなってしまった（±８０％）。これは、アシストガスの流量が多すぎるために回転盤の溝にガスが大量に流れ込み、粉体が気流に流されて制御不能になってしまったためと考えられる。
【００６８】
それに対して、分散ガスとアシストガスとを併用した実施例１−１においては、粉体（約４０ｍｇ／分）を供給することができ、その変動幅も小さい範囲に収まっていた（±２０％）。また、実施例１−２は、分散ガスとアシストガスの流量比を変化させたものであるが、この場合には、変動幅をさらに小さくすることができた（±１０％）。さらに、この結果から、アシストガスの流量を調節することにより、粉体の供給量を制御できることが確認された。
【００６９】
（実験２）
本発明の第１の実施形態に係るエアロゾル生成装置を用いて、攪拌羽１１と回転盤１４のトップ１４ａとの間隔ＬＧＡＰを規定する効果を確認するための実験を行った。
(i)実験方法及び評価方法
実験１と同様の実験方法において、図１に示す攪拌羽１１の高さと回転盤１４の高さを変化させた。この高さは、株式会社ミツトヨ製のデプスマイクロメータＤＭＳを用いて測定した。また、評価方法は、実験１と同様である。
【００７０】
(ii)エアロゾル生成条件
間隔ＬＧＡＰと、粉体供給室１の内底面１ｂと回転盤１４のトップ１４ａとの距離ＬＤＥＰ（図２参照）を次のように設定した。それ以外については、実験１の実施例１−２と同様の条件を用いた。
ＬＧＡＰ            ＬＤＥＰ
実施例２−１      ０．３ｍｍ      ０．２ｍｍ
実施例２−２      ０．６ｍｍ      ０．５ｍｍ
実施例２−３      ０．８ｍｍ      ０．７ｍｍ
実施例２−４      １．０ｍｍ      ０．９ｍｍ
比較例２−１      １．３ｍｍ      １．２ｍｍ
比較例２−２      １．５ｍｍ      １．４ｍｍ
なお、上記の実施例及び比較例において、攪拌羽１１と粉体供給室１の内底面１ｂとの間隔（ＬＧＡＰ−ＬＤＥＰ）は全て０．１ｍｍである。
【００７１】
(iii)結果
平均粉体供給量      粉体供給量の変動幅
実施例２−１    １００ｍｇ／分        ±１０％
実施例２−２      ８０ｍｇ／分        ±２５％
実施例２−３      ６０ｍｇ／分        ±３０％
実施例２−４      ５５ｍｇ／分        ±３５％
比較例２−１      ２５ｍｇ／分        ±９０％
比較例２−２      ２０ｍｇ／分      ±１００％
また、この結果を図１２に示す。図１２の横軸は間隔ＬＧＡＰ（ｍｍ）を示しており、左側の縦軸は平均粉体供給量（ｍｇ／分）を示しており、右側の縦軸は粉体供給量の変動幅の絶対値（％）を示している。
【００７２】
上記の結果及び図１２に示すように、比較例２−１及び２−２においては、粉体供給量の変動幅が急激に上昇しており（例えば、ＬＧＡＰ＝１．３ｍｍの場合に９０％）、粉体供給量を制御できなくなっていることがわかる。一方、実施例においては、粉体供給量の変動幅は高くても３５％付近に留まっている（例えば、ＬＧＡＰ＝１ｍｍの場合）。この結果から、ＬＧＡＰを１ｍｍ以下とすることにより、粉体の供給量が安定することが確認された。
【００７３】
（実験３）
本発明の一実施形態に係る成膜装置において、上記の実施例１並びに比較例１及び３における条件の下で生成されたエアロゾルを用いて成膜する実験を行った。
(i)実験方法及び評価方法
最終的に１０μｍ程度の膜を形成することを目標として、平均粉体供給量（即ち、エアロゾル濃度）に基づいて基板ステージの往復回数を設定した。そして、図１１に示す成膜装置において、設定された回数だけ基板ステージを往復させることにより膜を形成した。このような成膜を、実験１の実施例１−１並びに比較例１−１及び１−３の条件の下で各々６回行い、それらの膜厚を測定して平均値を得た。また、膜厚の変動幅を、次式（３）及び（４）を用いて算出し、絶対値が大きい方を本実験における結果として採用した。
膜厚の変動幅＝（膜厚最小値−平均膜厚）／（平均膜厚）…（３）
膜厚の変動幅＝（膜厚最大値−平均膜厚）／（平均膜厚）…（４）
【００７４】
(ii)成膜条件
基板材料：ＹＳＺ（イットリウム安定化ジルコニア）
成膜温度：室温
なお、攪拌羽と回転盤との距離ＬＧＡＰは、約０．３ｍｍとした。
【００７５】
(iii)結果
平均粉体供給量    供給量変動    平均膜厚      膜厚変動
実施例１−１      ４０ｍｇ／分      ±２０％      １０μｍ      ±２０％
比較例１−１        ０ｍｇ／分          −        成膜できず        −
比較例１−３    ６００ｍｇ／分      ±８０％      １２μｍ      ±７０％
【００７６】
上記の結果に示すように、比較例１−１のエアロゾルを用いた場合には、粉体を供給することができなかったので、膜は形成できなかった。また、比較例１−３のエアロゾルを用いた場合には、粉体の供給量変動が大きいため（±８０％）膜厚変動も大きくなり（±７０％）、平均膜厚についても、目標とした１０μｍから大きく離れてしまった（約１２μｍ）。
それに対して、実施例１−１のエアロゾルを用いた場合には、目標値（１０μｍ）に近い膜厚を得ることができ、膜厚変動を小さく抑えることができた（±２０％）。
【００７７】
以上の２つの実験結果より、エアロゾル生成装置において分散ガスに加えてアシストガスを併用することにより、粉体を長時間（例えば、６０分間）に渡って安定して成膜部に供給することができ、また、粉体量を容易に制御できることが確認された。また、そのようにして生成されたエアロゾルを用いることにより、厚さが均一な膜を得ることができ、膜厚の制御をし易くなることが確認された。
【産業上の利用可能性】
【００７８】
本発明は、粉体をガスに分散させたエアロゾルの生成装置、及び、そのようなエアロゾルを用いて成膜を行う成膜装置において利用することが可能である。
【図面の簡単な説明】
【００７９】
【図１】本発明の第１の実施形態に係るエアロゾル生成装置の構成を説明するための図である。
【図２】図１に示す回転盤のトップ周辺を拡大した断面図である。
【図３】図１に示すエアロゾル導出部付近を拡大して示す断面図である。
【図４】本発明の第２の実施形態に係るエアロゾル生成装置の構成を示す断面図である。
【図５】本発明の第３の実施形態に係るエアロゾル生成装置の一部を示す断面図である。
【図６】本発明の第４の実施形態に係るエアロゾル生成装置の構成を示す断面図である。
【図７】本発明の第５の実施形態に係るエアロゾル生成装置の一部を示す断面図である。
【図８】本発明の第６の実施形態に係るエアロゾル生成装置の一部を示す断面図である。
【図９】本発明の第７の実施形態に係るエアロゾル生成装置の構成を説明するための図である。
【図１０】本発明の第８の実施形態に係るエアロゾル生成装置の構成を説明するための図である。
【図１１】本発明の一実施形態に係る成膜装置の構成を示す模式図である。
【図１２】実験２の結果を示す図である。
【符号の説明】
【００８０】
１、３０、５０、６０  粉体収納室
１ａ、５１  粉体供給口
１ｂ  粉体収納室の内底面
２  エアロゾル生成部
５  成膜チャンバ
６  噴射ノズル
６ａ  エアロゾル搬送管
７  基板ステージ
８  真空ポンプ
９  基板
１０、３２  開口
１１、７０  攪拌羽
１１ａ  攪拌羽の最下部
１２、１５  回転軸
１２ａ、１５ａ  Ｏ（オー）リング
１３、３３  アシストガス導入部
１４  回転盤
１４ａ  回転盤のトップ
１６  溝
１７、２０  分散ガス導入部
１８、２１  エアロゾル導出部
２２  粉体導出路
３１  分散ガス供給管
３４、５３、６３  粉体
４０、５２  ノッカー
５１  粉体供給口
６１  ピストン
６２  駆動装置
【図１】
2007231390.tif 000003
【図２】
2007231390.tif 000004
【図３】
2007231390.tif 000005
【図４】
2007231390.tif 000006
【図５】
2007231390.tif 000007
【図６】
2007231390.tif 000008
【図７】
2007231390.tif 000009
【図８】
2007231390.tif 000010
【図９】
2007231390.tif 000011
【図１０】
2007231390.tif 000012
【図１１】
2007231390.tif 000013
【図１２】
2007231390.tif 000014